(57)【特許請求の範囲】
【請求項１】
光ディスクを回転可能に支持するターンテーブルと、前記光ディスクに対して情報信号の記録及び／又は再生を行う光ピックアップと、該光ピックアップを前記光ディスクの半径方向に移動させる移動機構とを備えた光ディスク装置を筐体内部に備えた情報処理装置であって、
筐体内面の前記光ディスク装置が固定される領域には、所定方向に延設された段差部が形成されており、
前記光ディスク装置は、前記段差部に跨って配置された３箇所で筐体内面の前記領域に固定され、
前記段差部と実質的に平行な方向に延設された今一つの段差部が前記筐体内面に形成されており、
両段差部により段上げして形成される筐体外面の凹所には、カード状の外部拡張装置を着脱可能に装着させる装着部が設けられている、
ことを特徴とする情報処理装置。
【請求項２】
前記段差部の延設方向は、前記光ピックアップの移動方向と交差している、ことを特徴とする請求項１記載の情報処理装置。
【請求項３】
前記光ピックアップの待機位置は、前記段差部による段上げ部分に設定されている、ことを特徴とする請求項１又は２に記載の情報処理装置。
【請求項４】
前記ターンテーブルを回転駆動するスピンドルモータは、前記段差部による段上げ部分に固定されている、ことを特徴とする請求項１から３の何れか一に記載の情報処理装置。
【請求項５】
前記凹所は筐体側面に開口を有すると共に、前記外部拡張装置を挿入させるカードスロットを収容し得る厚さを有しており、
前記カードスロットは、装着された前記カード状外部拡張装置の左右側部に対応する左右の外側面が前記凹所の縦壁の少なくとも一部に近接するように該凹所内に収容された状態で、当該凹所に固定されている、
ことを特徴とする請求項１に記載の情報処理装置。
【請求項６】
前記カードスロットの背面側には、前記凹所の筐体側面への開口に対応する前記カード状外部拡張装置の着脱用スロット開口のシャッタを有すると共に前記装着部の背面側を覆うカバー体が配置され、該カバー体も前記凹所に固定されている、ことを特徴とする請求項５に記載の情報処理装置。
【発明の詳細な説明】
【技術分野】
【０００１】
本発明は、例えばノート型パーソナルコンピュータ（以下、適宜、「ノートパソコン」と略称する）などの情報処理装置、特に、光ディスク装置を内蔵した、或いは、更にカード状の外部拡張装置を着脱可能に装着させる装着部を備えた、情報処理装置に関する。
【背景技術】
【０００２】
周知のように、例えばノートパソコン等の情報処理装置においては、光ディスク装置を内蔵したものが一般的になりつつある。この光ディスク装置を情報処理装置に内蔵する構造として、当該光ディスク装置を情報処理装置の筐体の底部内面に固定する構造は公知である（例えば、特許文献１報参照）。
【０００３】
また、周知のように、例えばノートパソコン等の情報処理装置においては、外部拡張装置を着脱可能に装着させる装着部を備えたものが公知である。この外部拡張装置とは、当該情報処理装置に対して、例えばカード状の装置を外部から挿入することなどにより、外部から容易に拡張機能を付加してシステムの機能向上を図ることができるようにしたものである。
【０００４】
例えば特許文献２には、外面に開口した凹所により形成されたパック収納部を備えた箱状の筐体と、独立したモジュールとしてパッケージ化されたパック状機器であって、前記パック収納部に対して取り出し可能に装着されて筐体の外面の一部を構成するパック状機器とを備えた携帯形電子機器が開示されている。前記パック状機器内には、パッケージに応じてＣＤ−ＲＯＭ駆動装置またはフロッピーディスク装置が組み込まれており、必要に応じてこれらパック状機器を交換して用いられる。
【０００５】
カード状の外部拡張装置を着脱可能に装着させる装着部を情報処理装置に装備する場合、例えば、図１４に示すように、情報処理装置の筐体内に組み込まれた基板９１上に、カード状外部拡張装置の装着部のカードスロット９２を固定することが考えられる。図１４の例では、カードスロット９２の側部に一対の固定用突起部９３を設けておき、この突起部９３がネジ部材９４により基板９１上に締結固定することにより、カードスロット９２が基板９１に対して固定される。
【０００６】
ところで、カード状の外部拡張装置として、例えば、ＰＣＭＩＡ（Ｐｅｒｓｏｎａｌ  Ｃｏｍｐｕｔｅｒ  Ｍｅｍｏｒｙ  Ｃａｒｄ  Ｉｎｔｅｒａｆｃｅ  Ａｓｓｏｃｉａｔｉｏｎ）が策定した所謂ＰＣカード等が知られている。ＰＣカードには、各種情報を書き込み及び読み出し可能な半導体メモリを内蔵したメモリカードや、ＰＣカードよりも小型のメモリカードのアダプタとしての機能や、無線で情報を送受信可能な送信手段及び受信手段を内蔵した拡張カードなどがある。
【０００７】
このようなカード状外部拡張装置は、ノートパソコン等の情報処理装置のカードスロットに挿入・装着し、例えば個人認証や通信モデム等として広く適用されている。情報処理装置にカード状外部拡張装置を挿入する際に、当該カード状外部拡張装置の全体がカードスロットに挿入されてしまう構成では、外部拡張装置としての容量的な制限や無線通信する際に無線が遮断されてしまう等のおそれがあるため、最近では、カード状外部拡張装置の一部（例えば外部との通信用モジュール部分など）が情報処理装置の筐体側面から突出した状態で装着して用いられるようにしたものがある。
【先行技術文献】
【特許文献】
【０００８】
【特許文献１】特開２０００−１０５６２９号公報
【特許文献２】特開平１０−１３３７７６号公報
【発明の概要】
【発明が解決しようとする課題】
【０００９】
このように、カード状外部拡張装置が情報処理装置の筐体から突出した状態で用いられる場合、突出したカード状外部拡張装置に側方から衝撃力が加わると、前記図１４の構成では、カード状外部拡張装置を介してカードスロット９２に入力される衝撃力は全て、当該カードスロット９２及びその基板９１への固定部９３に加わることになる。従って、カードスロット９２自体の変形や損傷を招くおそれがある。また、カードスロット９２は一般に強度が余り高くない基板９１に固定されている関係上、その固定部９３も変形や損傷を招くおそれがある。
【００１０】
また、前述の光ディスク装置は、一般に、光ディスクを回転可能に支持するターンテーブルと、前記光ディスクに対して情報信号の記録及び／又は再生を行う光ピックアップと、該光ピックアップを光ディスクの半径方向に移動させる移動機構とを備えており、光ピックアップの光軸精度や移動精度を含めて各部の動作精度を維持しその機能を支障なく発揮させるためには、光ディスク装置を安定した固定状態に保つ必要がある。
【００１１】
一方、近年では、ノートパソコン等の情報処理装置について、より一層の軽量化および薄型化が求められており、かかる要請に応える一環として、筐体の底部壁についてもより一層薄肉化され、底部壁の特に平坦な部分の剛性は低下する傾向にある。
【００１２】
しかしながら、従来では、光ディスク装置は、多くの場合、情報処理装置の筐体の底部内面の平坦な領域に固定されており、底部壁の薄肉化が進む下で、光ディスク装置が固定される平坦な領域自体の剛性が十分に確保されているとは言い難い。すなわち、筐体の底部に外力が加わった場合、光ディスク装置が固定される平坦な領域は、剛性が不足しがちなために比較的変形し易く、光ピックアップの光軸精度や移動精度を含めて光ディスク装置の所要の動作精度を維持する上で不利になる場合が生じ得る。
【００１３】
そこで、本発明は、光ディスク装置を内蔵する情報処理装置において、筐体内面の光ディスク装置が固定される領域の剛性を高め、当該筐体内面の前記領域に外力が加わった場合でも光ディスク装置をできるだけ安定した固定状態に保つことができるようにすることを、基本的な目的としてなされたものである。また、本発明の更なる目的は、かかる情報処理装置にカード状の外部拡張装置を着脱可能に装着させる装着部を備えた場合において、カード状外部拡張装置を介して装着部に側方から衝撃力が加わった場合でも、装着部のカードスロット及びその固定部の変形や損傷発生を抑制できるようにすることである。
【課題を解決するための手段】
【００１４】
このため、本発明に係る情報処理装置は、光ディスクを回転可能に支持するターンテーブルと、光ディスクに対して情報信号の記録及び／又は再生を行う光ピックアップと、該光ピックアップを光ディスクの半径方向に移動させる移動機構とを備えた光ディスク装置を筐体内部に備えた情報処理装置であって、筐体内面の前記光ディスク装置が固定される領域には、所定方向に延設された段差部が形成されており、光ディスク装置は、前記段差部に跨って配置された３箇所で筐体内面の前記領域に固定され、前記段差部と実質的に平行な方向に延設された今一つの段差部が前記筐体内面に形成されており、両段差部により筐体内面を段上げして形成される筐体外面の凹所には、カード状の外部拡張装置を着脱可能に装着させる装着部が設けられる、ことを特徴としたものである。
【発明の効果】
【００１５】
本発明によれば、筐体内面の光ディスク装置が固定される領域には所定方向に延設された段差部が形成されていることにより、外力の作用に対する筐体内面の前記領域の剛性を向上させることができる。しかも、光ディスク装置は、前記段差部に跨って配置された３箇所で筐体内面の前記領域に固定されているので、当該筐体内面の前記領域に外力が加わった場合でも光ディスク装置をより安定した固定状態に保つことができる。これにより、光ピックアップの光軸精度や移動精度を含めた光ディスク装置の所要の動作精度の維持に資することができる。また、前記両段差部を設けることによって筐体内面を段上げして形成される筐体外面の凹所を有効に利用して、カード状の外部拡張装置を着脱可能に装着させる装着部を設けることができ、情報処理装置のコンパクト化にも寄与することができる。換言すれば、かかる装着部を設けることによって形成される段差を利用して、筐体内面の剛性を向上させることができる。
【図面の簡単な説明】
【００１６】
【図１】実施形態に係るノートパソコンの使用可能状態を示す全体斜視図
【図２】前記ノートパソコンの不使用状態を示す全体斜視図
【図３】前記ノートパソコンの不使用状態における平面図
【図４】前記ノートパソコンの不使用状態における側面図
【図５】前記ノートパソコンの不使用状態における底面図
【図６】前記ノートパソコンの第２筐体の内部構造を示す斜視図
【図７】前記第２筐体の底部内面を示す斜視図
【図８】図７のＹ８−Ｙ８線に沿った断面図
【図９】前記ノートパソコンの光ディスク装置の要部を示す平面図
【図１０】前記ノートパソコンのＰＣカード装着部の内部構造を示す斜視図
【図１１】前記ＰＣカード装着部を拡大して示す底面図
【図１２】図１１のＹ１２−Ｙ１２線に沿った断面図
【図１３】前記ＰＣカード装着部のスロット開口を拡大して示す第２筐体の側面図
【図１４】従来のカード状外部拡張装置の装着部の固定状態の一例を示す斜視図
【発明を実施するための形態】
【００１７】
本発明に係る情報処理装置は、上述の構成を基本として、以下のような態様を取ることができる。
すなわち、前記情報処理装置において、前記段差部の延設方向は光ピックアップの移動方向と交差していることが好ましい。
【００１８】
この構成では、前記段差部の延設方向が光ピックアップの移動方向と交差していることにより、光ディスク装置が固定される筐体内面に段差部の延設方向を中心にした曲げ荷重が作用した場合でも、前記段差部の延設方向と光ピックアップの移動方向とが平行な場合に比して、光ピックアップの移動動作の精度に及ぼす影響を軽減することができる。
【００１９】
また、以上の場合において、光ピックアップの待機位置は、前記段差部による段上げ部分に設定されていることが好ましい。
【００２０】
情報処理装置の落下等による外部荷重の入力は稼働状態よりも非稼働状態（つまり、光ピックアップが待機位置に在る状態）の方が圧倒的に起こり易いのであるが、この構成では、情報処理装置の落下等による外部荷重が直接に入力される可能性がより高い筐体自体から段差部の高さだけ離間しており、しかも、段差部を設けることにより剛性が高められている、段上げ部分に光ピックアップの待機位置が設定されているので、非稼働状態で情報処理装置が落下等による外部荷重の入力を受けた場合でも、光ピックアップ及びその移動動作の精度に及ぼす悪影響を効果的に軽減することができる。この段差部を設けることによる剛性向上効果は、特に、段上げ部分における段差部（による角部）に近いほど大きいので、より好ましくは、光ピックアップの待機位置を段差部（による角部）に近く設定するほど、落下等による情報処理装置への外部荷重入力が光ピックアップ及びその移動動作の精度に及ぼす悪影響をより効果的に軽減することができる。
【００２１】
更に、以上の場合において、前記ターンテーブルを回転駆動するスピンドルモータは、前記段差部による段上げ部分に固定されていることが好ましい。
【００２２】
光ディスク装置の主要な構成部品の中ではスピンドルモータが最も重量が嵩み、例えば情報処理装置の落下等により光ディスク装置が外部荷重の入力を受けた際には、スピンドルモータがこの外部荷重を受けることで、ディスク装置の作動に大きな悪影響を及ぼすことが考えられるが、この構成では、情報処理装置の落下等による外部荷重が直接に入力される可能性がより高い筐体自体から段差部の高さだけ離間しており、しかも、段差部を設けることにより剛性が高められている、段上げ部分にスピンドルモータを固定したことにより、情報処理装置の落下等によってスピンドルモータが外部荷重を受けた際の光ディスク装置の作動に及ぼす悪影響を効果的に軽減することができる。この段差部を設けることによる剛性向上効果は、特に、段上げ部分における段差部（による角部）に近いほど大きいので、より好ましくは、スピンドルモータの固定位置を段差部（による角部）に近く設定するほど、情報処理装置が落下した場合の光ディスク装置の作動に及ぼす悪影響をより効果的に軽減することができる。
【００２５】
また、好ましくは、前記凹所は筐体側面に開口を有すると共に、前記外部拡張装置を挿入させるカードスロットを収容し得る厚さを有しており、前記カードスロットは、装着された前記カード状外部拡張装置の左右側部に対応する左右の外側面が前記凹所の縦壁の少なくとも一部に近接するように該凹所内に収容された状態で、当該凹所に固定されている。
【００２６】
この構成によれば、前記装着部のカードスロットは、装着された前記カード状外部拡張装置の左右側部に対応する左右の外側面が、前記筐体の装着部を設けた側面に連続する背面の一部に形成した前記凹所の縦壁の少なくとも一部に近接するように該凹所内に収容された状態で、当該凹所に固定されている。従って、カード状外部拡張装置が情報処理装置の筐体から突出した状態で用いられる場合に、筐体から突出したカード状外部拡張装置に側方から衝撃力が加わっても、その衝撃力は、或る程度以上大きければ、カードスロット及びその固定部だけでなく、当該カードスロットの左右の外側面に近接した前記凹所の縦壁によっても受け持たれる。その結果、カードスロットに入力される衝撃力が全て当該カードスロット及びその固定部に加わるようになっていた従来に比して、カードスロット及びその固定部の変形や損傷発生を効果的に抑制できる。また、カードスロットは、情報処理装置の筐体の一部を構成する前記凹所に固定されているので、強度が余り高くない基板に固定されていた従来に比して、固定強度を高めることができることからも、固定部の変形や損傷発生をより効果的に抑制することができる。
【００２７】
また、この場合において、好ましくは、前記カードスロットの背面側には、前記凹所の筐体側面への開口に対応する前記カード状外部拡張装置の着脱用スロット開口のシャッタを有すると共に前記装着部の背面側を覆うカバー体が配置され、該カバー体も前記凹所に固定されている。
【００２８】
この構成では、カード状外部拡張装置の着脱用スロット開口のシャッタを有するカバー体も筐体の一部を構成する前記凹所に固定されているので、筐体から突出したカード状外部拡張装置に側方から衝撃力が加わった場合、シャッタ部分の着脱用スロット開口についても、変形や損傷発生を抑制できる。また、装着部のカードスロットは、片側が筐体の一部を構成する前記凹所に固定されると共に、背面側も前記凹所に固定された前記カバー体で覆われることにより、固定強度をより高めることができる。
【００２９】
（実施の形態）
以下、本発明の実施形態について、所謂ノートパソコンを例にとって、添付図面を参照しながら詳細に説明する。
尚、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した発明の理解を容易にするためであって、それらの用語の意味によって本発明は限定的に解釈されるべきものではない。
【００３０】
図１及び図２は、本実施形態に係るノートパソコンの使用可能状態（開状態）および不使用状態（閉状態）をそれぞれ示す斜視図である。また、図３，図４及び図５は、前記ノートパソコンの不使用状態における平面図，側面図および底面図である。
【００３１】
これらの図に示すように、本実施形態に係る情報処理装置としてのノートパソコンＷは、例えば液晶式とされた表示画面１２を有する表示部１０と、該表示部１０に入力される表示信号を生成し得る操作制御部３０とを備えている。該操作制御部３０は、キーボード等の入力装置３２、該入力装置３２による入力操作等に基づいて表示部へ出力する表示信号を生成する信号処理回路や中央演算処理装置（所謂ＣＰＵ）、更にはそれらの周辺部品（何れも不図示）などを含むものである。
【００３２】
また、ユーザ（使用者）がノートパソコンＷを操作する操作状態において当該ユーザから見てキーボード３２の手前側には、タッチパッド３３が設けられており、ユーザはこのタッチパッド３３を上下左右になぞるだけで、カーソルの移動や表示画面１２のスクロール等を行うことができる。
本実施形態では、前記タッチパッド３３の側方（図１における右側方）に、上下方向に開閉可能なリッド（蓋部材）３４が配置され、該リッド３４の下方に、後で詳しく説明する光ディスク装置４０が内蔵されている。
【００３３】
前記表示部１０は、表示部側の筐体１１（第１筐体）に格納されてその周縁および背面が覆われており、一方、制御操作部３０は操作制御部側の筐体３１（第２筐体）に格納され、両筐体１１，３１は、ヒンジ機構２０により開閉可能に結合されている。
より詳しく説明すれば、第１筐体１１および第２筐体３１は共に、平面視における全体としての基本形状が略長方形状に形成されており、その一辺１１ｒ，３１ｒ側（つまり、ユーザがノートパソコンＷを操作する操作状態における当該ノートパソコンＷのユーザから見た後辺側）どうしをヒンジ機構２０を介して結合することにより、ヒンジ軸２１（図４参照）を中心にして両筐体が相対的に開閉動作を行えるようになっている。尚、本明細書において、前記「長方形」とは、その一形態として「正方形」である場合を含むものである。
【００３４】
前記ノートパソコンＷは、例えば、充電式のバッテリ（電池）からの給電によって駆動することができるものであり、図５に示されるように、ノートパソコンＷの後側底部には、充電式の電池をユニット化した電池パック５０が着脱可能に装着されている。
【００３５】
また、図５に示されるように、ノートパソコンＷの前後方向における略中間の底部には、カード状外部拡張装置としての所謂ＰＣカードを着脱可能に装着させるＰＣカード装着部６０が設けられ、該装着部６０の外側（下側）は例えば樹脂製のカバー体７０で覆われている。前記ＰＣカード装着部６０のスロット開口部を開閉するシャッタ７１は、第２筐体３１の側面（図５における右側面）３１ｓに配置されている。尚、このＰＣカード装着部６０の構造等については後述する。
【００３６】
図６は、前記ノートパソコンＷの第２筐体３１の上記リッド３４を含む上面部分を取り外して、その内部構造を示す斜視図である。この図に示すように、前記リッド３４の下方には、光ディスク（不図示）に記録された情報信号の再生と光ディスクへの情報信号の記録の少なくとも何れか一方を行うための光ディスク装置（光ディスクドライブ）４０が内蔵されている。
【００３７】
前記光ディスク装置４０は、基本的な構成要素として、光ディスクを内径側から把持するチャック部４１ｃを有して光ディスクを回転可能に支持するターンテーブル４１と、光ディスクに対して情報信号の記録及び／又は再生を行う光ピックアップ４２と、該光ピックアップ４２を光ディスクの半径方向Ｌｐに移動させる移動機構４３とを備え、これらの主要構成要素は全てベース板４５上に支持されている。ターンテーブル４１を回転駆動するスピンドルモータ４４は、このベース板４５の下面側に位置している。光ピックアップ４２は、移動機構４３により、一対のガイドレール４３ｇ（後述する図９参照）に沿って光ディスクの半径方向Ｌｐへ移動させられる。尚、この光ディスク装置４０は、従来公知のものと同様の構成を備え同様の機能を有するものであるので、これ以上の詳細な説明および図示は省略する。
【００３８】
前記光ディスク装置４０のベース板４５は、三角形の頂点を形成するように位置設定された３箇所の固定部４６Ａ，４６Ｂ，４６Ｃで、それぞれネジ部材４７Ａ，４７Ｂ，４７Ｃを用いて、第２筐体３１の底部壁３５に対して締結固定されている。
図７は、第２筐体３１の底部壁３５の内面を示す斜視図である。この図に示すように、底部壁３５の内面には、光ディスク装置４０のベース板４５の３箇所の固定部４６Ａ，４６Ｂ，４６Ｃにそれぞれ対応する部位に固定用ボス部３６Ａ，３６Ｂ，３６Ｃが、底部壁３５と一体的に立設されている。
【００３９】
各固定用ボス部３６Ａ，３６Ｂ，３６Ｃには、前記ネジ部材４７Ａ，４７Ｂ，４７Ｃの雄ネジに螺合する雌ネジが形成されており、前記ベース板４５の３箇所の固定部４６Ａ，４６Ｂ，４６Ｃを底部壁３５の固定用ボス部３６Ａ，３６Ｂ，３６Ｃに嵌挿させた上で、ネジ部材４７Ａ，４７Ｂ，４７Ｃをねじ込んで締め付けることにより、光ディスク装置４０のベース板４５が第２筐体３１の底部壁３５に対して締結固定される。なお、固定部４６Ａ、４６Ｂ、４６Ｃと固定用ボス部３６Ａ、３６Ｂ、３６Ｃとの間には、例えば防振ゴム等の緩衝材を適宜介在させても良い。この緩衝材を介在させることで、光ディスク装置４０のターンテーブル４１を回転させる前記スピンドルモータ４４の振動を低減させることができる。
【００４０】
本実施形態では、前述のように（図１参照）、ユーザがノートパソコンＷを操作する操作状態において当該ユーザから見てキーボード３２の手前側でタッチパッド３３の側方に（つまり、第２筐体３１の所謂ハンドレスト部分に）、上下方向に開閉可能なリッド３４が配置され、該リッド３４の下方に光ディスク装置４０が配設されている。
かかるタイプの光ディスク装置４０では、図９から良く分かるように、例えばポータブル型のオーディオプレーヤやポータブル型のディジタルビデオディスクプレーヤ等に見受けられるように、スピンドルモータ４４で回転駆動されるターンテーブル４１は移動せず、ターンテーブル４１上に載置された光ディスクの記録再生に応じて、光ピックアップ４２のみが、移動機構４３のガイドレール４３ｇに沿って移動する。
【００４１】
すなわち、リッド３４を開蓋し、光ディスクをターンテーブル４１上に載置した後閉蓋すると、ターンテーブル４１の回転に伴い、光ピックアップ４２は、図９に示された待機位置から所望の位置に移動し、対物レンズ４２ａからレーザ光を放射し始める。レーザ光を放射した光ピックアップ４２は、ターンテーブル４１上に載置された光ディスクの最内周にある情報を読み取り、ディスクの種類等を把握するようになっている。
本実施形態では、光ピックアップ４２の待機位置は、図９に示しように、ターンテーブル４１上に載置された光ディスクの最内周に対応する位置に設定されている。
【００４２】
また、光ディスク装置４０の主要な構成部品の中で最も重量が嵩む部品は、ターンテーブル４１を回転させるスピンドルモータ４４であり、例えばノートパソコンＷの落下等による外乱（外部からの入力）を受けた際には、スピンドルモータ４４が衝撃荷重を受けることで、光ディスク装置４０の作動に大きな悪影響を及ぼすという課題があった。従って、かかる外乱受けた際にスピンドルモータ４４に加わる衝撃荷重に対する耐性を高めることが重要である。
【００４３】
更に、例えばノートパソコンＷを持ち運ぶ場合などのように、光ディスク装置４０が稼働していない状態（非稼働状態）では、前記光ピックアップ４２は常に待機位置に静止している。ノートパソコンＷの落下は、稼働状態よりも非稼働状態の方が圧倒的に起こり易い。従って、ノートパソコンＷが落下した場合に、待機位置にある光ピックアップ４２に及ぼす悪影響をできるだけ抑制することが重要である。
【００４４】
本実施形態では、第２筐体３１の底部壁３５に、第２筐体３１の後辺３１ｒに略平行で側面３１ｓに略直交する方向Ｌｓに延びる段差部（前側段差部）３７が形成されている。この段差部３７は、光ディスク装置４０のベース板４５が固定される領域を横切るようにして延設されている。このような段差部３７を設けたことにより、光ディスク装置４０が固定される領域の剛性を高めることができる。この段差部３７の延設方向Ｌｓは、より好ましくは、光ディスク装置４０の光ピックアップ４２の移動方向Ｌｐと一定の角度（本実施形態では、略４５°）をなして交差している（図６参照）。
【００４５】
図８は、図７のＹ８−Ｙ８線に沿った断面図で、第２筐体３１の底部壁３５の縦断面構造を示している。この図から良く分かるように、前側段差部３７は、底部壁３５の前方から後方に向かって立ち上がるように所定量だけ段上げして形成されている。また、この前側段差部３７よりも所定距離後方には、底部壁３５の前方から後方に向かって立ち下がるように所定量だけ段下げして形成された後側段差部３８が、前側段差部３７を構成する傾斜と逆方向に設けられている。前側段差部３７と後側段差部３８とによって両者間に形成された底部壁３５の段上げ部分３５ｓは、光ディスク装置４０のベース板４５を載置する平面を成す。また、ベース板４５は、ターンテーブル４１の光ディスク載置面と平行に構成されている。尚、符号４９は、フレキシブル回路基板を示している。
このように、前側段差部３７と後側段差部３８との間に形成された段上げ部分３５ｓは、第２筐体３１の底壁部３５全体の面積と比べるかなりと小さい面積であるため、前側段差部３７及び後側段差部３８による剛性向上効果が著しい。
【００４６】
従って、前側段差部３７と後側段差部３８との間に、底部壁３５の外側（図８における下側）から内側（図８における上側）に向かって凹む、所定の幅および深さの凹所３９が形成されている。前記ＰＣカード装着部６０はこの凹所３９に設けられている。この凹所３９は、底壁３９ｂと、該底壁３９ｂの前後方向における端部に位置する前後一対の縦壁３９ｗとを備えており、これら縦壁３９ｗが前述の段差部３７，３８に対応している。
【００４７】
より詳しく説明すれば、光ディスク装置４０が第２筐体３１の底壁部３５に占める専有面積は、ＰＣカード装着部６０の専有面積に比べると遙かに広い。底壁部３５を間に挟むようにして、ＰＣカード装着部６０を光ディスク装置４０の背面に配置させているため、専有面積の差に起因する境界部が必ず存在する。前述の前側段差部３７及び後側段差部３８がこの境界部に相当している。これら境界部（前側段差部３７及び後側段差部３８）は第２筐体３１の側面３１ｓから直交方向に底部壁３５上を延在している。
【００４８】
本実施形態では、光ディスク装置４０をより安定した固定状態に保つことができるように、光ディスク装置４０のベース板４５の３箇所の固定部４６Ａ，４６Ｂ，４６Ｃにそれぞれ対応する固定用ボス部３６Ａ，３６Ｂ，３６Ｃは、前側段差部３７に跨って配置されている。すなわち、固定用ボス部３６Ｂは前側段差部３７よりも前方に位置する一方、残りの固定用ボス部３６Ａ，３６Ｃは前側段差部３７よりも後方に配置されている。
【００４９】
このように、本実施形態によれば、第２筐体３１の底部壁３５に前側段差部３７及び後側段差部３８を底部壁３５に形成したことにより、第２筐体３１の底部壁３５の剛性を高め、第２筐体３１の堅牢性を向上させることができる。特に、底部壁３５の光ディスク装置４０が固定される領域に、該領域を横切って所定方向に延びる段差部３７（前側段差部）が形成されていることにより、外力の作用に対する底部壁３７の光ディスク装置４０が固定される領域の剛性を向上させることができる。
【００５０】
しかも、光ディスク装置４０は、前側段差部３７に跨って配置された３箇所の固定部４６Ａ，４６Ｂ，４６Ｃで第２筐体３１の底部壁３５に固定されているので、当該底部壁３５の光ディスク装置４０が固定される領域に外力が加わった場合でも、光ディスク装置４０をより安定した固定状態に保つことができる。これにより、光ピックアップ４２の光軸精度や移動精度を含めた光ディスク装置４０の所要の動作精度を維持するのに大いに貢献することができる。
【００５１】
更に、前側段差部３７の延設方向Ｌｓは、光ディスク装置４０の光ピックアップ４２の移動方向Ｌｐと交差しているので、光ディスク装置４０が固定される底部壁３５に前側段差部３７の延設方向Ｌｓを中心にした曲げ荷重が作用した場合でも、前側段差部３７の延設向Ｌｓと光ピックアップ４２の移動方向Ｌｐとが平行な場合に比して、光ピックアップ４２の移動動作の精度に及ぼす影響を軽減することができる。
光ピックアップ４２は、上述したように一対のガイドレール４３ｇに沿って光ディスクが備える情報層の近傍を半径方向に移動するが、ガイドレール４３ｇの延設方向Ｌｐが前側段差部３７と交差していることにより、機械的変形に対する耐性が最も高い段差部３７の角部を利用して、上述の平行性維持効果はより顕著に発揮することができる。
【００５２】
また、前述のように、ノートパソコンＷの落下等による外部荷重（具体的には衝撃荷重）の入力は稼働状態よりも非稼働状態（つまり、光ピックアップ４２が待機位置に在る状態）の方が圧倒的に起こり易いのであるが、本実施形態では、光ピックアップ４２の待機位置は、前側および後側段差部３７，３８により両者間に形成された段上げ部分３５ｓに設定されている。
【００５３】
すなわち、本実施形態では、ノートパソコンＷの落下等による外部荷重が直接に入力される可能性がより高い第２筐体３１の底部壁３５から段差部３７，３８の高さだけ離間しており、しかも、段差部３７，３８を設けることにより剛性が高められている、段上げ部分３５ｓに光ピックアップ４２の待機位置が設定されているので、非稼働状態でノートパソコンＷが落下等による外部荷重の入力を受けた場合でも、光ピックアップ４２に及ぼす悪影響を効果的に軽減することができる。前側段差部３７を設けることによる剛性向上効果は、特に、段上げ部分３５ｓにおける段差部３７の角部に近いほど大きいので、より好ましくは、光ピックアップ３７の待機位置を前側段差部３７の角部に近く設定するほど、落下等によるノートパソコンＷへの外部荷重入力が光ピックアップ４２へ及ぼす悪影響をより効果的に軽減することができる。
【００５４】
更に、前述のように、光ディスク装置４０の主要な構成部品の中ではスピンドルモータ４４が最も重量が嵩み、例えばノートパソコンＷの落下等により光ディスク装置４０が外部荷重（具体的には衝撃荷重）の入力を受けた際には、スピンドルモータ４４がこの外部荷重を受けることで、光ディスク装置４０の作動に大きな悪影響を及ぼすことが考えられるが、本実施形態では、スピンドルモータ４４は、前側および後側段差部３７，３８により両者間に形成された段上げ部分３５ｓに固定されている。
【００５５】
すなわち、本実施形態では、ノートパソコンＷの落下等による外部荷重が直接に入力される可能性がより高い第２筐体３１の底部壁３５から段差部３７，３８の高さだけ離間しており、しかも、段差部３７，３８を設けることにより剛性が高められている、段上げ部分３５ｓにスピンドルモータ４４を固定したので、ノートパソコンＷの落下等によってスピンドルモータ４４が外部荷重を受けた際の光ディスク装置４０の作動に及ぼす悪影響を効果的に軽減することができる。前側段差部３７を設けることによる剛性向上効果は、特に、段上げ部分３５ｓにおける段差部３７の角部に近いほど大きいので、より好ましくは、スピンドルモータ４４の固定位置を前側段差部３７の角部に近く設定するほど、落下等によるノートパソコンＷへの外部荷重入力が光ディスク装置４０に及ぼす悪影響をより効果的に軽減することができる。
【００５６】
また更に、本実施形態では、実質的に互いに平行な前側段差部３７及び後側段差部３８を設けることで底部壁３５を段上げして形成される段上げ部３５ｓに対応して、底部壁３５の外面に凹所３９が形成されるが、この凹所３９を有効に利用して、ＰＣカードを着脱可能に装着させるＰＣカード装着部６０を設けることができ、ノートパソコンＷのコンパクト化にも寄与することができる。つまり、かかるＰＣカード装着部６０を設けることによって形成される段差部３７，３８を利用して、第２筐体３１の底部壁３５の剛性を向上させることができるのである。
【００５７】
より詳しく説明すれば、前側段差部３７及び後側段差部３８は、第２筐体３１の側面３１ｓに直交する方向において底部壁３５上を延在し、光ディスク装置４０の移動機構４３のガイドレール４３ｇは前記段差部３７，３８の延在方向に対して傾斜（例えば４５°）しているので、光ディスク装置４０及びＰＣカード装着部６０の耐衝撃性を向上させることができ、更に、光ディスク装置４０とＰＣカード装着部６０とは、底部壁３５を介して表裏に配置される構成であるため、当該底部壁３５に両者を固定することができ、耐衝撃性の向上に加え、両者４０，６０を設けるに際してコンパクト化も達成できる。
【００５８】
図６等から良く分かるように、光ディスク装置４０が底壁部３５に占める専有面積は、ＰＣカード装着部６０の専有面積と比べると遙かに広い。光ディスク装置４０とＰＣカード装着部６０とを第２筐体３１の底壁部３５の表裏に配置する際に、ＰＣカード装着部６０の専有面積がより狭いことを利用して段差部３７，３８を設け、かかる段差部３７，３８を設けることを利用して耐衝撃性を向上させているとも言い得る。
【００５９】
尚、以上の説明は、ＰＣカード装着部６０を配置するため、底部壁３５の外面に凹所３９を形成する平面を備える構成であるが、光ディスク装置４０を固定する底部壁３５の機械的強度を向上させるためだけであれば、例えばボス３６Ａ及び３６Ｃの植設箇所における底部壁３５を湾曲させても何等問題はない。
【００６０】
前述のように（例えば図５参照）、ノートパソコンＷの前後方向における略中間の底部には、カード状外部拡張装置としての所謂ＰＣカードを、第２筐体３１の側面３１ｓから着脱可能に装着させるＰＣカード装着部６０が設けられ、該装着部６０の外側（背面側）は例えば樹脂製のカバー体７０で覆われている。
【００６１】
以下、このＰＣカード装着部６０について説明する。
図１０は前記ノートパソコンＷのＰＣカード装着部６０の内部構造を示す斜視図、図１１は前記ＰＣカード装着部６０を拡大して示す底面図、図１２は図１１のＹ１２−Ｙ１２線に沿った断面図、また、図１３は前記ＰＣカード装着部６０のスロット開口を拡大して示す第２筐体３１の側面図である。
【００６２】
これらの図に示すように、第２筐体３１には、前記側面３１ｓに連続する背面３１ｂの一部に、図１３から良く分かるように、背面３１ｂから所定量だけ窪んだ前述の凹所３９が形成されており、この凹所３９内に、前記ＰＣカード装着部６０のカードスロット６１が収容されている。該カードスロット６１は、所定厚さの金属板を打ち抜き及び折曲成形して製作されており、装着されるＰＣカードＫ（図１１参照）の左右側部に対応する左右の外側面が前記凹所３９の縦壁３９ｗの少なくとも一部に近接するように該凹所３９内に収容されている。前記凹所３９の窪みの深さは、カードスロット６１を収容し得る深さに設定されている。
【００６３】
本実施形態では、前記ＰＣカードＫは、例えば外部との通信機能のために通信モジュールＫｍを備えたもので、図１１において１点鎖線で表示されるように、第２筐体３１の側面３１ｓからＰＣカード装着部６０内に装着した状態では、少なくとも前記通信モジュールＫｍが第２筐体３１の側面３１ｓから突出している。
【００６４】
図１０及び図１１から良く分かるように、前記カードスロット６１の第２筐体側面３１ｓに比較的近い側には、カードスロット６１を凹所３９内に固定するための固定用突起部６２，６３が形成されており、一方（図１１における左方）の固定用突起部６２は、凹所３９の縦壁３９ｗ及び底壁３９ｂと一体的に形成された固定用ボス部５６上にネジ部材Ｎ１を用いて締結固定されている。また、他方（図１１における右方）の固定用突起部６３は、カードスロット６１の外側面との間にエジェクタ部材６４を挟むようにして凹所３９の底壁３９ｂに向かって延長された上で、底壁３９ｂと平行に折り曲げられ、ネジ部材Ｎ２を用いて底壁３９ｂ上に直接に締結固定されている。
【００６５】
また、カードスロット６１の固定用突起部６２，６３よりも第２筐体側面３１ｓに近い側には、カバー体７０を凹所３９内に固定するためのボス状の固定部５７Ａ，５７Ｂが、それぞれ凹所３９の縦壁３９ｗ及び底壁３９ｂと一体的に形成されている。図１１及び図１２における左側のボス状固定部５７Ａは、カードスロット６１の左外側面と略接触しており、また、右側のボス状固定部５７Ｂは、カードスロット６１の右外側面に密着するように沿って延設された前記エジェクタ部材６４と近接している。
【００６６】
ＰＣカードＫのカードスロット６１内への挿入状態で第２筐体３１の側面３１ｓから突出している部分Ｋｍに、図１１及び図１２における右側方から衝撃力が加わった場合、その衝撃力が或る程度以上大きい場合には、カードスロット６１及びその固定用突起部６２，６３だけでなく、当該カードスロット６１の左外側面に近接した前記凹所３９の縦壁３９ｗの一部（具体的には、図１１及び図１２における左側のボス状固定部５７Ａ）によっても受け持たれる。また、図１１における左側方から衝撃力が加わった場合、その衝撃力が或る程度以上大きい場合には、カードスロット６１及びその固定用突起部６２，６３だけでなく、当該カードスロット６１の右外側面（具体的には、この右外側面に密着したエジェクタ部材６４）に近接した前記凹所３９の縦壁３９ｗの一部（具体的には、図１１及び図１２における右側のボス状固定部５７Ｂ）によっても受け持たれる。
【００６７】
更に、前記ボス状固定部５７Ａ，５７Ｂよりも第２筐体側面３１ｓから遠い側にも、カバー体７０を凹所３９内に固定するための左右一対の固定部５７Ｃ，５７Ｄが設けられている。尚、カバー体７０は、凹所３９の筐体側面３１ｓへの開口に対応して、ＰＣカードＫの着脱用スロット開口のシャッタ７１を一体的に備えている。
【００６８】
そして、カードスロット６１の背面側にカバー体７０を配置し、各ボス状固定部５７Ａ〜５７Ｄに対して位置決めした上でネジ部材７５（図１２及び図５参照）をねじ込むことにより、樹脂製のカバー体７０が、カードスロット６１の背面側を覆った上で、前記凹所３９に固定されている。第２筐体側面３１ｓから遠い側のボス状固定部５７Ｃ及び５７Ｄには、ＰＣカード装着部６０のコネクタ部６０ｃの近傍に設けた孔を介してネジ部材７５が適用され、前記カバー体７０が固定されている。
このカバー体７０は、カードスロット６１の背面側を覆った固定状態では、第２筐体３１の底壁部３５の背面と略面一に近い状態となる。
【００６９】
このように、前記凹所３９は第２筐体３１と一体に構成され、この凹所３９に立設した４箇所のボス状固定部５７Ａ〜５７Ｄ，カードスロット６１及びカバー体７０が螺結関係にあるため、耐衝撃性が著しく高められている。
【００７０】
以上、説明したように、前記ＰＣカード装着部６０のカードスロット６１は、装着されるＰＣカードＫの左右側部に対応する左右の外側面が、第２筐体３１の装着部６０を設けた側面３１ｓに連続する背面３１ｂの一部に形成した前記凹所３９の縦壁３９ｗの少なくとも一部に近接するように該凹所３９内に収容された状態で、当該凹所３９に固定されている。
【００７１】
従って、ＰＣカードＫが第２筐体３１から突出した状態で用いられる場合に、該第２筐体３１から突出した部分Ｋｍに側方から衝撃力が加わっても、その衝撃力は、或る程度以上大きければ、カードスロット６１及びその固定用突起部６２，６３だけでなく、当該カードスロット６１の左右の外側面に近接した前記凹所３９の縦壁３９ｗの一部（具体的には、図１１及び図１２における左右のボス状固定部５７Ａ，５７Ｂ）によっても受け持たれる。
【００７２】
その結果、カードスロット６１に入力される衝撃力が全て当該カードスロット６１及びその固定部に加わるようになっていた従来に比して、カードスロット６１及びその固定用突起部６２，６３の変形や損傷発生を効果的に抑制できるのである。また、カードスロット６１は、ノートパソコンＷの第２筐体３１の一部を構成する前記凹所３９に固定されているので、強度が余り高くない基板に固定されていた従来（図１４参照）に比して、固定強度を高めることができることからも、固定用突起部６２，６３の変形や損傷発生をより効果的に抑制することができる。
【００７３】
また、ＰＣカードＫの着脱用スロット開口のシャッタ７１を有するカバー体７０も第２筐体３１の一部を構成する前記凹所３９に固定されているので、ＰＣカードＫの第２筐体３１の側面３１ｓから突出した部分Ｋｍに側方から衝撃力が加わった場合、シャッタ７１部分の着脱用スロット開口についても、変形や損傷発生を抑制できる。また、ＰＣカード装着部６０のカードスロット６１は、片側が第２筐体３１の一部を構成する前記凹所３９に固定されると共に、背面側も前記凹所３９に固定された前記カバー体７０で覆われることにより、固定強度をより高めることができる。
【００７４】
尚、以上の説明は、ノートパソコンを例にとったものであったが、本発明はかかる場合に限定されるものではなく、光ディスク装置を内蔵した、或いは、更にＰＣカード等のカード状外部拡張装置の装着部を備えた、他の種々の情報処理装置においても、有効に適用することができる。
【００７５】
このように、本発明は、上述の実施形態や変形例に限定されるものではなく、その要旨を逸脱しない範囲において、種々の変更や設計上の改良等を行い得るものであることは、言うまでもない。
【産業上の利用可能性】
【００７６】
本発明は、例えばノートパソコンなどの情報処理装置における光ディスク装置の配設構造として、有効に利用することができる。
【符号の説明】
【００７７】
１１  第１筐体
３１  第２筐体
３１ｓ  （第２筐体の）側面
３５  （第２筐体の）底壁部
３５ｓ  段上げ部分
３６Ａ〜３６Ｃ  固定用ボス部
３７  前側段差部
３８  後側段差部
３９  凹所
３９ｗ  凹所の縦壁
４０  光ディスク装置
４１  ターンテーブル
４２  光ピックアップ
４３  移動機構
４４  スピンドルモータ
４５  ベース板
４６Ａ〜４６Ｃ  （ベース板の）固定部
５７Ａ〜５７Ｄ  ボス状固定部
６０  ＰＣカード装着部
６１  カードスロット
７０  カバー体
７１  シャッタ
Ｋ  ＰＣカード
Ｌｐ  光ピックアップ移動方向
Ｌｓ  段差部延設方向
Ｗ  ノートパソコン
【図１】
0005461355.tif 000002
【図２】
0005461355.tif 000003
【図３】
0005461355.tif 000004
【図４】
0005461355.tif 000005
【図５】
0005461355.tif 000006
【図６】
0005461355.tif 000007
【図７】
0005461355.tif 000008
【図８】
0005461355.tif 000009
【図９】
0005461355.tif 000010
【図１０】
0005461355.tif 000011
【図１１】
0005461355.tif 000012
【図１２】
0005461355.tif 000013
【図１３】
0005461355.tif 000014
【図１４】
0005461355.tif 000015